(57)【特許請求の範囲】
【請求項１】
一方の面に電気部品の端子を接続するための複数の端子差込口が配列され、他方の面に前記複数の端子差込口に対応する複数の配線接続用の端子片が配列されている第１ジャック盤と、
前記第１ジャック盤の前記複数の端子片の間隔よりも広い間隔で一方の面に複数の差込口が配列され、他方の面に前記複数の差込口に対応する配線接続用の複数のコネクタが配列されている第２ジャック盤と、
前記第１ジャック盤の前記複数の端子片が接続される第１基板、前記第２ジャック盤の前記複数の差込口に差し込み可能な複数の導電部材、前記複数の導電部材が接続される第２基板、並びに、前記第１基板と前記第２基板とに挟まれて両者を結ぶ配線群が設けられた配線ブロックを有する中間部品と、
を備え、
前記第１基板には、前記複数の端子片が接続される第１群の電極、前記配線ブロックの配線群が接続される第２群の電極、および、前記第１群の電極と前記第２群の電極を結ぶプリント配線が設けられ、
前記第２基板には、前記複数の導電部材が接続される第３群の電極、前記配線ブロックの配線群が接続される第４群の電極、および、前記第３群の電極と前記第４群の電極とを結ぶプリント配線が設けられ、
前記第１基板の前記プリント配線と前記配線ブロックの配線群と前記第２基板の前記プリント配線と前記導電部材とを介して、前記第１ジャック盤と前記第２ジャック盤とが電気的に接続されていることを特徴とする端子板装置。
【請求項２】
各々の一方の面に電気部品の端子を接続するための複数の端子差込口が配列され、各々の他方の面に前記複数の端子差込口に対応する複数の配線接続用の端子片が配列されている、複数の第１ジャック盤と、
前記第１ジャック盤の前記複数の端子片の間隔よりも広い間隔で一方の面に複数の差込口が配列され、他方の面に前記複数の差込口に対応する配線接続用の複数のコネクタが配列されている第２ジャック盤と、
前記第２ジャック盤の前記複数の差込口に差し込まれる複数の導電部材、並びに、前記第１ジャック盤の複数の端子片と前記複数の導電部材との対応するもの同士を電気的に接続する配線群を有する中間部品と、
を備え、
前記複数の第１ジャック盤の前記端子片の数は、前記第２ジャック盤の前記差込口の数より多く、
前記複数の第１ジャック盤の前記複数の端子片の何れかが、前記第２ジャック盤の前記差込口の電極と電気的に接続される対象から除外されていることを特徴とする端子板装置。
【請求項３】
一方の面に電気部品の端子接続用の複数の端子差込口が配列され、他方の面に複数の配線接続用の端子片が配列され、前記複数の端子差込口の電極と前記複数の端子片とが電気的にそれぞれ接続されている第１ジャック盤と、
前記第１ジャック盤の前記複数の端子片が接続される第１基板と、
前記第１ジャック盤の前記複数の端子片の間隔よりも広い間隔で配列され、他のジャック盤の複数の差込口に差し込み可能な複数の導電部材と、
前記複数の導電部材が接続される第２基板と、
前記第１基板と前記第２基板とに挟まれて両者を結ぶ配線群が設けられた配線ブロックと、
を備え、
前記第１基板には、前記複数の端子片が接続される第１群の電極、前記配線ブロックの配線群が接続される第２群の電極、および、前記第１群の電極と前記第２群の電極を結ぶプリント配線が設けられ、
前記第２基板には、前記複数の導電部材が接続される第３群の電極、前記配線ブロックの配線群が接続される第４群の電極、および、前記第３群の電極と前記第４群の電極とを結ぶプリント配線が設けられ、
前記第１基板の前記プリント配線と前記配線ブロックの配線群と前記第２基板の前記プリント配線とを介して、前記第１ジャック盤の前記複数の端子片と前記複数の導電部材との対応するもの同士が電気的に接続されていることを特徴とするアダプタ装置。
【請求項４】
各々の一方の面に電気部品の端子を接続するための複数の端子差込口が配列され、各々の他方の面に前記複数の端子差込口に対応する複数の配線接続用の端子片が配列されている、複数の第１ジャック盤と、
前記第１ジャック盤の前記複数の端子片の間隔よりも広い間隔で配列され、他のジャック盤の複数の差込口に差し込み可能な複数の導電部材と、
前記第１ジャック盤の前記複数の端子片と前記複数の導電部材との対応するもの同士を電気的に接続する配線部品と、
を備え、
前記複数の第１ジャック盤の前記端子片の数は、前記複数の導電部材の数よりも多く、
前記複数の第１ジャック盤の前記複数の端子片の何れかが、前記複数の導電部材と電気的に接続される対象から除外されていることを特徴とするアダプタ装置。 
【発明の詳細な説明】
【技術分野】
【０００１】
本発明は、小型のリレーなどの電気部品を接続するための端子板装置およびアダプタ装置に関する。
【背景技術】
【０００２】
鉄道における信号または踏切の制御は、各種のリレーを用いて行われる。リレーは、信号機器室または踏切器具箱において、ジャック盤に取り付けられる。ジャック盤は、前面に電気部品の端子を差し込む差込口が設けられ、背面に配線接続用のコネクタ端子が設けられている。信号機器室又は踏切器具箱には、多くのジャック盤がマウントフレームによって整然と設置され、これにより多くの電気部品の接続と、配線の接続とを整然と行うことができる。
特許文献１には、リレー取付用のジャック盤にセンサを取り付け可能とした構造が開示されている。特許文献２には、階段状に曲げられた金属片を用いて、一方の面の端子間隔より他方の面の端子間隔を大きくしたジャック盤が開示されている。
【０００３】
鉄道信号または踏切の制御では、例えば、特定の論理状態を作業員に知らせる点検用の論理回路が組み込まれることがある。例えば、所定の論理異常または所定の電源異常が生じたときに、信号機器室内または踏切器具箱内の表示器に所定の点灯を行わせて、これらの状態を確認することができる。従来、このような点検用の論理回路には、小型のリレーが小型のジャック盤に取り付けられて用いられていた。また、ジャック盤が小型であることから、マウントフレームの１つの固定スペースに、複数（例えば２個又は３個）のジャック盤を固定して用いるのが通常であった。
【先行技術文献】
【特許文献】
【０００４】
【特許文献１】特開２０００−１１３７８６号公報
【特許文献２】特開平１１−３５４１７７号公報
【発明の概要】
【発明が解決しようとする課題】
【０００５】
小型のジャック盤は、配線接続用の端子の間隔が狭く、配線を接続するためにコネクタを用いることが困難であった。このため、ジャック盤の端子には半田付けにより配線接続を行うのが通常であった。この場合、配線接続の作業時間が長くなり、配線接続に熟練技術を要するなどの課題が生じる。
このような課題を解消するために、例えば、配線接続用の端子間隔を広くした、小型のリレー専用の新たなジャック盤を製造することが考えられる。例えば、特許文献２に示される技術を用いて、リレー側の端子間隔より配線側の端子間隔を広くしたジャック盤を用意することで、配線の接続用にコネクタを用いることが可能となる。
しかしながら、小型のリレー専用に新たなジャック盤を製造すると、その分、システムのコストを増大させるという課題が生じる。また、特許文献２に示されるように、階段状の金属片を用いると、ジャック盤の端子の組み付けが煩雑であるため、ジャック盤自体の製造コストが大きくなる。
【０００６】
また、現状、小型のリレーを用いる場合、マウントフレームの１つの固定スペースに複数のジャック盤を並べて、複数の小型のリレーを取り付けている。よって、マウントフレームの１つの固定スペースに取り付けられる小型のリレーの全端子数が多くなる。よって、ジャック盤の全ての端子の間隔を広くして各々にコネクタを設けると、コネクタの配列面が、マウントフレームの１つの固定スペースの面積を超えてしまうか、或いは、ぎりぎりになる。このため、新たなジャック盤を１つの固定スペースに設置することが困難になるという課題が生じる。
本発明は、端子間隔の狭い電気部品であってもコネクタを用いて容易に配線接続することのできる端子板装置およびアダプタ装置を、低いコストで実現することを目的としている。さらに、電気部品の端子の総数が多くても配線接続用のコネクタが所定のスペースに収まることを容易に保証できる端子板装置およびアダプタ装置を提供することを目的としている。
【課題を解決するための手段】
【０００７】
本発明の端子板装置は、上記目的を達成するために、
一方の面に電気部品の端子を接続するための複数の端子差込口が配列され、他方の面に前記複数の端子差込口に対応する複数の配線接続用の端子片が配列されている第１ジャック盤と、
前記第１ジャック盤の前記複数の端子片の間隔よりも広い間隔で一方の面に複数の差込口が配列され、他方の面に前記複数の差込口に対応する配線接続用の複数のコネクタが配列されている第２ジャック盤と、
前記第２ジャック盤の前記複数の差込口に差し込まれる複数の導電部材と、前記第１ジャック盤の複数の端子片と前記複数の導電部材との対応するもの同士を電気的に接続する配線群とを有する中間部品と、
を備えていることを特徴としている。
【０００８】
この構成によれば、第１ジャック盤と第２ジャック盤とを中間部品により電気的に接続することで、第１ジャック盤に取り付けられる電気部品に対して、第２ジャック盤のコネクタを用いて配線の接続を行うことができる。また、第１ジャック盤および第２ジャック盤として、既存の構成を適用すれば、中間部品を新規に製造することで、本発明の端子板装置を実現できる。よって、所定の電気部品に合うように、新たに専用のジャック盤を開発および製造するよりも、低い開発コストおよび低い製造コストで端子板装置を実現できる。さらに、第２ジャック盤として、所定のマウントフレームに適合するジャック盤を選定することで、端子数が多くても配線接続用の複数のコネクタがマウントフレームに収まることを容易に保証できる。
【０００９】
好ましくは、前記中間部品は、
前記第１ジャック盤の前記複数の端子片が接続される第１基板と、
前記第２ジャック盤の前記複数の差込口に差し込み可能な複数の導電部材と、
前記複数の導電部材が接続される第２基板と、
前記第１基板と前記第２基板とに挟まれて両者を結ぶ配線群が設けられた配線ブロックと、
を備え、
前記第１基板には、前記複数の端子片が接続される第１群の電極、前記配線ブロックの配線群が接続される第２群の電極、および、前記第１群の電極と前記第２群の電極を結ぶプリント配線が設けられ、
前記第２基板には、前記複数の導電部材が接続される第３群の電極、前記配線ブロックの配線群が接続される第４群の電極、および、前記第３群の電極と前記第４群の電極とを結ぶプリント配線が設けられ、
前記第１基板の前記プリント配線と前記配線ブロックの配線群と前記第２基板の前記プリント配線と前記導電部材とを介して、前記第１ジャック盤と前記第２ジャック盤とが電気的に接続されるように構成されるとよい。
【００１０】
この構成によれば、第１ジャック盤の端子片の間隔と、第２ジャック盤の差込口の間隔が異なっていても、容易に、且つ、低コストに、両者を電気的に接続することができる。また、第１ジャック盤の端子片が接続される基板と、導電部材が接続される基板とが別なので、組み立て時の作業性がよく、さらに、組み立て時に端子片と導電部材とが干渉することを回避し易い。また、プリント配線を設けるスペースが、第１基板と第２基板とに確保されるので、１つの基板のみを使用する場合と比較して、プリント配線の設計も容易になる。
【００１１】
また、好ましくは、複数の前記第１ジャック盤が設けられ、
前記複数の第１ジャック盤の前記端子片の数は、前記第２ジャック盤の前記差込口の数より多く、
前記複数の第１ジャック盤の前記複数の端子片の何れかが、前記第２ジャック盤の前記差込口の電極と電気的に接続される対象から除外される構成にするとよい。
鉄道の信号或いは踏切を制御する分野では、第１ジャック盤に接続される小型リレー等の電気部品については、全端子を使用することが稀であり、何れか一部の端子のみを使用することが殆どである。このような状況では、上記構成のように、第１ジャック盤の端子片の何れかを、第２ジャック盤の差込口に割り当てる対象から除外しても、不都合が生じない。さらに、複数の電気部品の全端子をコネクタ化した場合に、所定のマウントフレームに収まらないような場合でも、上記の構成によれば、第２ジャック盤として、所定のマウントフレームに収まるジャック盤を採用することができる。
さらに、上記構成を採用する場合には、第２ジャック盤の差込口の電極と電気的に接続される端子片の組み合わせが異なる複数種類の中間部品を用意しておくとよい。これにより、電気部品のうち、破壊等により何れかの端子が使えなくなったときに、中間部品を交換することで、破壊された端子から破壊されていない端子へ、使用される端子を変更することができる。
【００１２】
或いは、第１ジャック盤に取り付けられる部品が、複数の接点を有するリレーである場合、空きの接点端子と、別の接点の接点端子とを、互いに並列に配線接続されるような中間部品を用意しておいてもよい。ここで、空き予定の接点端子とは、第２ジャック盤の差込口の電極と電気的に接続される対象から除外されていた接点端子を意味している。そして、リレーの１つの接点では接点容量が不足したときに、このような中間部品に変更することで、１つの接点の制御によって、互いに並列接続された複数の接点が同時に動作することとなり、接点容量の不足に対処することができる。
【００１３】
また、本発明のアダプタ装置は、
一方の面に電気部品の端子接続用の複数の端子差込口が配列され、他方の面に複数の配線接続用の端子片が配列され、前記複数の端子差込口の電極と前記複数の端子片とが電気的にそれぞれ接続されている第１ジャック盤と、
前記第１ジャック盤の前記複数の端子片の間隔よりも広い間隔で配列され、他のジャック盤の差込口に差し込み可能な複数の導電部材と、
前記第１ジャック盤の前記複数の端子片と前記複数の導電部材との対応するもの同士を電気的に接続する配線部品と、
を備えているとよい。
この構成によれば、アダプタ装置と、配線接続の容易な他のジャック盤とを組み合わせることで、第１ジャック盤に取り付けられる電気部品の配線の接続を、他のジャック盤の配線端子を用いて行うことができる。また、このような構成を、低いコストで実現できる。
【発明の効果】
【００１４】
本発明の端子板装置およびアダプタ装置によれば、小型のリレーなどの電気部品であってもコネクタを用いて容易に配線接続することができる。さらに、電気部品の端子の総数が多くても配線接続用のコネクタが所定のスペースに収まることを容易に保証することができる。
【図面の簡単な説明】
【００１５】
【図１】本発明の実施の形態に係る端子板装置の電気部品の取付け側を示す斜視図である。
【図２】本発明の実施の形態に係る端子板装置の配線接続側を示す斜視図である。
【図３】本発明の実施の形態に係るアダプタ装置と第２ジャック盤とリレーとを分離した状態を示す下面図である。
【図４】本発明の実施の形態に係るアダプタ装置の背面図である。
【図５】第２ジャック盤の正面図である。
【図６】第２ジャック盤の背面図である。
【図７】本発明の実施の形態に係るアダプタ装置の第１基板を示すもので、（ａ）は上面図、（ｂ）は側面図、（ｃ）は下面図である。
【図８】本発明の実施の形態に係るアダプタ装置の第２基板を示すもので、（ａ）は上面図、（ｂ）は側面図、（ｃ）は下面図である。
【図９】第１基板のプリント配線の一部を示す図である。
【図１０】第２基板のプリント配線の一部を示す図である。
【図１１】第１ジャック盤の端子差込口と第２ジャック盤の配線接続用のコネクタとの対応関係を説明する図である。
【発明を実施するための形態】
【００１６】
以下、本発明の実施の形態について図面を参照して詳細に説明する。
図１は、本発明の実施の形態に係る端子板装置の電気部品の取付け側を示す斜視図である。図２は、本発明の実施の形態に係る端子板装置の配線接続側を示す斜視図である。図３は、本発明の実施の形態に係るアダプタ装置と第２ジャック盤とリレーとを分離した状態を示す下面図である。図３は、アダプタ装置３０の外装と第２ジャック盤２０の外装とを外した状態を示している。図４は、本発明の実施の形態に係るアダプタ装置の背面図である。図５は、第２ジャック盤を示す正面図である。図６は、第２ジャック盤を示す背面図である。
本発明の実施の形態に係る端子板装置１は、電気部品として小型のリレー４１を前面側に取り付け、背面側において電気部品の配線接続を可能とする端子板である。端子板装置１は、マウントフレーム２の１つの固定スペースに取り付けられる。
【００１７】
端子板装置１は、複数の第１ジャック盤１０を有するアダプタ部品３０と、第２ジャック盤２０とを備えている。アダプタ部品３０は、本発明に係るアダプタ装置の一例に相当する。
アダプタ部品３０は、小型のリレー４１と第２ジャック盤２との間に介在して、両者をつなげる部品である。アダプタ部品３０は、複数の第１ジャック盤１０と、第１基板３１と、複数の導電部材（金属片など）３２と、第２基板３３と、第１基板３１と第２基板３３との間の配線ブロック３４と、端子台３５とを有する。これらのうち、第１基板３１と第２基板３３と配線ブロック３４と複数の導電部材３２とが、本発明に係る中間部品の一例に相当する。また、第１基板３１と第２基板３３と配線ブロック３４とが、本発明に係る配線部品の一例に相当する。
【００１８】
第１ジャック盤１０は、前面に、小型のリレー４１の端子４２が差し込まれる複数の端子差込口１２を有し（図１を参照）、背面に、配線接続用に突出した複数の端子片１３を有している（図３を参照）。複数の端子片１３と複数の端子差込口１２とは一対一に対応している。端子片１３と、これに対応する端子差込口１２とは、前後対称の位置にそれぞれ設けられている。端子差込口１２の中には端子と接触する電極が設けられ、この電極と端子片１３とは、一体的な金属片により構成されるか圧着されるかして導通している。
具体的には、リレー４１は、６つの独立した接点を有し、複数の端子４２として、接点毎に接点を切り替えるコイル端子と２つの接点端子とを有している。さらに、リレー４１の複数の端子４２には、２つの電源端子が含まれる。第１ジャック盤１０には、これらの２０個の端子４２が差し込まれる２０個の端子差込口１２と、これに対応した２０個の端子片１３とが設けられている。
【００１９】
端子台３５は、バリスタ４５を接続するためのものであり、例えばバネ接続式の端子台を採用できる。バネ接続式では、ドライバーを一方の差込口に差し込むことでバネを緩めた後、バリスタ４５の配線端子４６を他方の差込口に差し込み、その後、ドライバーを抜くことで、バリスタ４５の配線端子４６を端子台３５の電極に圧着することができる。その他、端子台３５としては、ねじ式の端子台を採用してもよい。
【００２０】
第２ジャック盤２０は、前面に複数の差込口２２が設けられ、背面に複数の配線接続用のコネクタ２３が設けられている。複数の差込口２２と複数のコネクタ２３とは一対一に対応している。コネクタ２３と、これに対応する差込口２２とは、前後対称の位置にそれぞれ設けられている。複数の差込口２２の間隔および複数のコネクタ２３の間隔は、第１ジャック盤１０の複数の端子差込口１２の間隔および複数の端子片１３の間隔よりも広い。具体的には、最も狭い部分を比較した場合に、ジャック盤１０の端子片１３の間隔よりも第２ジャック盤２０の差込口２２の間隔のほうが広い。差込口２２の中には、差し込まれた導電部材と接触する電極が設けられ、差込口２２の電極とコネクタ２３の電極とは、一体的な金属片により構成されるか圧着されるかして導通している。
第２ジャック盤２０は、具体的には、マルチジャック盤と呼ばれるものであり、２０個の差込口２２と２０個のコネクタ２３とを有している。コネクタ２３は、例えばファストン端子などの圧着端子の雄雌の何れか一方である。１つのコネクタ２３には、電気的に共通の２つのコネクタ端子２３ａ、２３ｂが設けられ（図６を参照）、２つの配線が接続可能になっている。
【００２１】
配線ブロック３４は、配線群として、内部に基板面と交差する方向に延びる複数の配線３４ｅが設けられたブロックである。配線ブロック３４は、配線３４ｅが延びる方向を上下方向として、上下半分に分離および接合可能に設けられている。上半分の配線ブロック３４ａと下半分の配線ブロック３４ｂとが連結したときに、両者の複数の配線３４ｅがそれぞれ圧接して導通する。配線ブロック３４の基板固定側には、各配線３４ｅの先端が突出している。
【００２２】
図７は、本発明の実施の形態に係るアダプタ装置の第１基板を示すもので、（ａ）は上面図、（ｂ）は側面図、（ｃ）は下面図である。図７（ｂ）は部品が実層された状態を示している。図８は、本発明の実施の形態に係るアダプタ装置の第２基板を示すもので、（ａ）は上面図、（ｂ）は側面図、（ｃ）は下面図である。図８（ｂ）は部品が実装された状態を示している。図９は、第１基板のプリント配線の一部を示す図である。図１０は、第２基板のプリント配線の一部を示す図である。
【００２３】
第１基板３１は、図７（ａ）〜図７（ｃ）および図９に示すように、一方の面に３つの第１ジャック盤１０と、３つの端子台３５とが搭載され、他方の面に配線ブロック３４ａが搭載される。
第１基板３１には、第１ジャック盤１０と接続するための複数の貫通孔ｆ１および複数の電極ｅ１と、端子台３５と接続するための複数の貫通孔ｆ２および複数の電極ｅ２と、配線ブロック３４ａを接続するための複数の貫通孔ｆ３および複数の電極ｅ３とが設けられている。第１ジャック盤１０の各端子片１３は、先端部分が貫通孔ｆ１に通され、半田付けにより電極ｅ１に接合されている。端子台３５の各配線端子３５ｅは貫通孔ｆ２に通されて電極ｅ２に半田付けされている。配線ブロック３４ａの各配線３４ｅは、一端が貫通孔ｆ２に通され、半田付けにより電極ｅ３に接合されている。
【００２４】
第１基板３１には、図９に示すように、さらに複数の電極ｅ１と複数の電極ｅ３とを結ぶプリント配線ｎ１が設けられている。プリント配線ｎ１により、第１ジャック盤１０の複数の端子片１３と、配線ブロック３４の複数の配線３４ｅとが電気的に接続される。また、第１基板３１には、電極ｅ２と電極ｅ１とを結ぶプリント配線ｎ２が設けられている。プリント配線ｎ２により、端子台３５の特定の配線端子３５ｅと、第１ジャック盤１０の特定の端子片１３とが電気的に接続される。プリント配線ｎ２は、バリスタ４５がリレー４１の電源端子間に接続されるように設けられている。なお、プリント配線ｎ１、ｎ２は、全て第１基板３１の表面に設けてもよいし、第１基板３１を多層基板として、一部を他の層に設けてもよい。なお、図９には、煩雑を避けるために、複数のプリント配線ｎ１、ｎ２の一部しか示していない。
【００２５】
第２基板３３は、図８（ａ）〜図８（ｃ）および図１０に示すように、一方の面に配線ブロック３４ｂが搭載され、他方の面に複数の導電部材３２が搭載される。
第２基板３３には、複数の導電部材３２を接続するための複数の貫通孔ｆ４および複数の電極ｅ４と、配線ブロック３４ｂを接続するための複数の貫通孔ｆ５および複数の電極ｅ５とが設けられている。
導電部材３２は、第２ジャック盤２０の差込口２２に差し込まれて、差込口２２の電極と電気的に接続される一方に長い金属片である。導電部材３２は、一端部が貫通孔ｆ４に通され、電極ｅ４に半田付けされて固定される。さらに、導電部材３２は、根本側が樹脂等からなる支持ブロック３２ｓにより支持されて、第２基板３３に固定される。複数の導電部材３２は、図４および図５に示すように、第２ジャック盤２０の複数の差込口２２の配置に対応して、複数の差込口２２と同一の間隔で固定されている。
配線ブロック３４ｂは、複数の配線３４ｅの根本側の一端が、貫通孔ｆ５に通され、且つ、電極ｅ５に半田付けされて、第２基板３３に固定されている。
【００２６】
第２基板３３には、図１０に示すように、さらに電極ｅ４と電極ｅ５とを結ぶプリント配線ｎ３が設けられている。プリント配線ｎ３により、第２ジャック盤２０に差し込まれる複数の導電部材３２と、配線ブロック３４ｂの複数の配線３４ｅとが電気的に接続される。なお、プリント配線ｎ３は、全て第２基板３３の表面に設けてもよいし、第２基板３３を多層基板として、一部を他の層に設けてもよい。なお、図１０には、煩雑を避けるために、複数のプリント配線ｎ３の一部しか示していない。
【００２７】
上記のように構成された各構成要素は、次のように組み付けられている。第１基板３１と第２基板３３とは、各々部品が搭載された状態で、上下の配線ブロック３４ａ、３４ｂが連結するように接続され、アダプタ部品３０のブラケット等に固定される。これによりアダプタ部品３０が構成される。また、アダプタ部品３０は、複数の導電部材３２が第２ジャック盤２０の差込口２２に差し込まれて、第２ジャック盤２０に固定される。これにより、第１ジャック盤１０の複数の端子差込口１２の電極が、複数の端子片１３と、第１基板３１のプリント配線ｎ１と、配線ブロック３４の配線３４ｅと、第２基板３３のプリント配線ｎ３と、導電部材３２とを介して、第２ジャック盤２０と電気的に接続される。これにより、端子板装置１が構成される。
【００２８】
次に、３つの第１ジャック盤１０の各端子差込口１２と第２ジャック盤２０の各コネクタ２３との対応関係について説明する。
図１１は、第１ジャック盤の端子差込口と第２ジャック盤の配線接続用のコネクタとの対応関係を説明する図である。
３つの第１ジャック盤１０には、合計６０個の端子差込口１２がある。このうち共通化できるのは、電源のマイナス端子の端子差込口１２である。一方、第２ジャック盤２０には、４０個のコネクタ２３が設けられている。よって、３つの第１ジャック盤１０の全ての端子差込口１２を、第２ジャック盤２０の複数のコネクタ２３に割り当てることができない。
【００２９】
そこで、本実施の形態の端子板装置１では、６つの接点を有する小型のリレー４１のうち、２つの接点に関係する端子について、第２ジャック盤２０の複数のコネクタ２３へ割り当てることから除外している。図１１では、端子番号「Ｎ＊、Ｃ＊、Ｒ＊」（「＊」は１〜６の何れか）の３端子が、１つの接点に関係する端子であり、「−」端子と「＋」端子とが電源端子を示している。図１１の例では、各第１ジャック盤１０の端子番号「Ｎ３、Ｃ３、Ｒ３」、「Ｎ４、Ｃ４、Ｒ４」の端子が、コネクタ２３へ割り当てることから除外されている。これにより、３つの第１ジャック盤１０において、４つの接点に関係する端子と、プラスの電源端子と、３つの第１ジャック盤１０で共通化されたマイナスの電源端子とを、第２ジャック盤２０の４０個のコネクタ２３へ割り当てることができる。
【００３０】
鉄道信号或いは踏切の制御装置の分野では、第１ジャック盤１０に接続される小型のリレー４１の６つの接点のうち、全ての接点を使用することが殆ど無く、多くても３つの接点が使用されるに留まる。このような状況では、第１ジャック盤１０の全ての端子差込口１２のうち、何れか一部を第２ジャック盤２０のコネクタ２３への割り当てから除外しても、現状の論理回路を組む上で不都合が生じない。よって、第２ジャック盤２０のコネクタ２３に配線接続を用いて、現状と同様の論理回路を組むことができる。
さらに、このような構成においては、アダプタ部品３０としては、割り当てから除外される端子番号の組み合わせが異なる複数種類のアダプタ部品３０を用意しておくとよい。例えば、６つの接点を有するリレー４１のうち、第１と第２の接点に必要な端子が割り当てから除外されるアダプタ部品３０と、第５と第６の接点に必要な端子が割り当てから除外されるアダプタ部品３０を、さらに用意するとよい。これにより、例えば、使用しているリレー４１の或る接点が故障した場合に、アダプタ部品３０を交換して、使用するリレー４１の接点を変えることで、この故障に対応することができる。
【００３１】
以上のように、本実施の形態の端子板装置１およびアダプタ部品３０によれば、第１ジャック盤１０と第２ジャック盤２０とが中間部品により電気的に接続されている。よって、第１ジャック盤１０に取り付けられる小型のリレー４１に対して、第２ジャック盤２０のコネクタ２３を用いて配線の接続を行うことができる。また、第１ジャック盤１０と第２ジャック盤２０として既存の構成を適用すれば、アダプタ部品３０を新規に製造することで、本発明の端子板装置１を実現できる。よって、小型のリレー４１に合うように、新たに専用のジャック盤を開発および製造するよりも、開発コストおよび製造コストを低くできる。さらに、第２ジャック盤２０として、所定のマウントフレームに適合するジャック盤を選定することで、配線接続用の複数のコネクタ２３がマウントフレームに収まることを容易に保証することができる。
【００３２】
また、本実施の形態の端子板装置１およびアダプタ部品３０によれば、第１ジャック盤１０と第２ジャック盤２０とを電気的に接続する構成として、第１基板３１と第２基板３３と配線ブロック３４とを用いている。よって、第１ジャック盤１０の端子片１３の間隔と、第２ジャック盤２０の差込口２２の間隔とが異なっていても、容易に、且つ、低コストに、両者を電気的に接続することができる。また、第１ジャック盤１０の端子片１３の接続先の基板と、第２ジャック盤２０の差込口２２に差し込まれる導電部材３２の接続先の基板とが別なので、組み立て時の作業性がよく、さらに、組み立て時に端子片１３と導電部材３２とが干渉することを回避し易い。また、プリント配線を設けるスペースが、第１基板３１と第２基板３３とに確保されるので、１つの基板のみを使用する場合と比較して、プリント配線ｎ１〜ｎ３の設計も容易になる。
【００３３】
以上、本発明の各実施の形態について説明したが、本発明は上記の実施の形態に限られるものではない。例えば、上記実施の形態では、第１ジャック盤１０と第２ジャック盤２０との間の配線を、２つの基板と基板間の配線ブロックとを用いて構成した例を説明した。しかしながら、このような配線は１つの基板により構成することも可能である。例えば、第１ジャック盤１０の複数の端子片１３と、第２ジャック盤２０に対応する複数の導電部材３２とが、正面から見て、位置の重ならない配置であれば、１つの基板に両者を接続する貫通孔と電極とを設け、これらの電極の間に適宜必要なプリント配線を設ければよい。また、第１ジャック盤１０の複数の端子片１３と、第２ジャック盤２０に対応する複数の導電部材３２とが、正面から見て、一部位置の重なる配置であれば、１つの基板の第１面に複数の端子片１３を接続し、第２面に複数の導電部材３２を接続し、これらの間に、必要なプリント配線と、層間で配線を導通させるビアとを設ければよい。この場合、端子片１３と導電部材３２とは、基板を貫通させずに、基板の表面に半田接合すればよい。
【００３４】
また、上記の実施の形態では、第１ジャック盤１０が第１基板３１に半田等により接合される構成を示した。しかしながら、圧着端子を第１基板３１に半田接合し、第１ジャック盤１０の端子片１３を圧着端子に接続または分離させることで、アダプタ部品３０から第１ジャック盤１０を着脱自在な構成を採用してもよい。
また、上記の実施の形態では、１つの端子板装置１に３つの第１ジャック盤１０が取り付けられる構成を示したが、例えば、２つのジャック盤が取り付けられる構成としてもよい。
その他、取付け対象の電気部品の種類または端子数、第２ジャック盤のコネクタの種類、第２ジャック盤の差込口と導電部材との形態など、実施の形態で示した細部構造は、発明の趣旨を逸脱しない範囲で適宜変更可能である。
さらに、実施の形態においては、本発明の端子板装置およびアダプタ装置が、鉄道の信号または踏切の制御を行うシステムに使用される例を示したが、特に制限されることなく、様々なシステムに使用されてもよい。
【符号の説明】
【００３５】
１  端子板装置
２  マウントフレーム
１０  第１ジャック盤
１２  端子差込口
１３  端子片
２０  第２ジャック盤
２２  差込口
２３  コネクタ
２３ａ，２３ｂ  コネクタ端子
３０  アダプタ部品
３１  第１基板
３２  導電部材
３３  第２基板
３４  配線ブロック
３５  端子台
４１  リレー
４２  端子
ｅ１〜ｅ５  電極
ｆ１〜ｆ５  貫通孔
ｎ１〜ｎ３  プリント配線
【図１】
0006533701.tif 000002
【図２】
0006533701.tif 000003
【図３】
0006533701.tif 000004
【図４】
0006533701.tif 000005
【図５】
0006533701.tif 000006
【図６】
0006533701.tif 000007
【図７】
0006533701.tif 000008
【図８】
0006533701.tif 000009
【図９】
0006533701.tif 000010
【図１０】
0006533701.tif 000011
【図１１】
0006533701.tif 000012